(57)【要約】絶縁体に結合される配電線用カバーは、可撓性ポリマー材料から作られる主ボディーを含む。絶縁体に結合された電力線及び絶縁体に隣接して位置するように主ボディーは構成される。少なくとも一つのコネクター要素が、主ボディーに結合される。コネクター要素は、カバーに取り付けるために電力線又は絶縁材のいずれかと結合するように構成された硬質材料である。
2006513684.tif 000002
【特許請求の範囲】
【請求項１】
絶縁体と結合される配電線用カバーであって、
絶縁体及び絶縁体と結合された少なくとも一つの電力線に隣接して配置されるように構成された可撓性ポリマー材料でできている主ボディー、及び
主ボディーと接続される少なくとも一つのコネクター要素であって、該少なくとも一つの電力線及び絶縁体の少なくとも一つと結合してカバーを取り付けるように構成された硬質材料でできているコネクター要素
を含んで成るカバー。
【請求項２】
主ボディー材料は、１平方インチ当たり約２５００ポンド（psi）より小さい引っ張り強度を有し、該少なくとも一つのコネクター要素は、主ボディーより大きい引っ張り強度であって、少なくとも約１２００psiの引っ張り強度を有する請求項１に記載のカバー。
【請求項３】
主ボディーは、
絶縁体に隣接して配置されるように構成された中央部、
中央部から延在する第一電力線カバー部、及び
第一電力線カバー部と実質的に反対方向に中央部から延在する第二電力線カバー部
を含んで成る請求項２に記載のカバー。
【請求項４】
第一電力線カバー部及び第二電力線カバー部は、各々、中央部に対する電力線カバー部の回転柔軟性を増加させる、中央部に隣接する波形部を含んで成る請求項３に記載のカバー。
【請求項５】
可撓性ポリマー材料及び硬質材料は、抗トラッキング性ポリマー材料を含んで成る請求項３に記載のカバー。
【請求項６】
該少なくとも一つのコネクター要素は、メカニカル・クランプ、ディスプレイスメント・スプリング・クリップ、スウィンギング・クランプ及びラチェッティング・クランプから成る群から選択される請求項５に記載のカバー。
【請求項７】
該少なくとも一つのコネクター要素は、主ボディー内に成形されたディスプレイスメント・クリップを有して成る請求項６に記載のカバー。
【請求項８】
該少なくとも一つのコネクター要素は、ディスプレイスメント・クリップを有して成り、カバーは、更に、該少なくとも一つのコネクター要素と主ボディーを結合する少なくとも一つの留め具を有して成る請求項６に記載のカバー。
【請求項９】
該少なくとも一つの留め具は、ねじ付きファスナーを有して成る請求項８に記載のカバー。
【請求項１０】
第一電力線カバー部と解放可能に結合され、中央部から延在する延長アームを更に含んで成る請求項５に記載のカバー。
【請求項１１】
延長アームは、硬質材料でできている請求項１０に記載のカバー。
【請求項１２】
該少なくとも一つのコネクター要素は、ディスプレイスメント・クリップを有して成り、延長アーム及び該少なくとも一つのコネクター要素は、実質的に同じ輪郭を有する請求項１１に記載のカバー。
【請求項１３】
第二電力線カバー部と結合され、第一電力線カバー部と実質的に反対方向に延在する第二延長アームを更に含んで成る請求項１０に記載のカバー。
【請求項１４】
延長アームと第一電力線カバー部を結合するスナップ・コネクターを更に有して成る請求項１０に記載のカバー。
【請求項１５】
スナップ・コネクターは、延長アーム及び第一電力線カバー部の一方の端部にタブ部分と、延長アーム及び第一電力線カバー部の他方の隣接する端部に対応する開口部を有して成る請求項１４に記載のカバー。
【請求項１６】
該少なくとも一つのコネクター要素は、複数のコネクター要素を有して成り、コネクター要素の一つは、第一方向で絶縁体から延在する電力線と結合するように第一電力線カバー部に配置され、もう一つのコネクター要素は、第一方向と異なる第二方向で絶縁体から延在する電力線と結合するように第二電力線カバー部に配置される請求項１０に記載のカバー。
【請求項１７】
電力線カバー部の回転柔軟性は、第一電力線カバー部の下で絶縁体から延在する電力線によって規定される軸と、第二電力線カバー部の下で絶縁体から延在する電力線によって規定される軸との間で約２５度までのずれに適応する請求項１６に記載のカバー。
【請求項１８】
第一電力線カバー部の下で絶縁体から延在する電力線と、第二電力線カバー部の下で絶縁体から延在する電力線は、同じ電力線である請求項１７に記載のカバー。
【請求項１９】
配電線にカバーを設置するために設置補助の端部と係合するように構成された、該少なくとも一つのコネクター要素と主ボディーの少なくとも一つに設置補助取り付け部を更に含んで成る請求項１７に記載のカバー。
【請求項２０】
第三のコネクター要素は、絶縁体と結合するために中央部に配置される請求項１７に記載のカバー。
【請求項２１】
可撓性ポリマー材料と硬質材料は、抗トラッキング性ポリマー材料を含んで成る請求項１に記載のカバー。
【請求項２２】
該少なくとも一つのコネクター要素は、複数のコネクター要素を含んで成り、コネクター要素の一つは、第一方向で絶縁体から延在する電力線と結合するように配置され、もう一つのコネクター要素は、第一方向と異なる第二方向で絶縁体から延在する電力線と結合するように配置される請求項１に記載のカバー。
【請求項２３】
主ボディーは、第一方向で主ボディーの下で絶縁体から延在する電力線によって規定される軸と、第二方向で主ボディーの下で絶縁体から延在する電力線によって規定される軸との間で約２５度までのずれに適応する回転柔軟性を有する請求項１に記載のカバー。
【請求項２４】
カバーは、配電線のカバーの設置用の設置補助の端部と係合するように構成された少なくとも一つのコネクター要素と少なくとも一つの主ボディーに設置補助取り付け部を更に含んで成る請求項１に記載のカバー。
【請求項２５】
絶縁体と結合された配電線をカバーする方法であって、
絶縁体の上に適合するように構成された可撓性ポリマー材料と、主ボディーと結合される少なくとも一つの、硬質材料でできたコネクター要素を有して成るカバーを供給すること、
絶縁体に隣接してカバーを配置すること、
絶縁体から延在する配電線の一つと整列するように主ボディーの端部を曲げること、
該少なくとも一つのコネクター要素を、該配電線の一つ又は絶縁体の少なくとも一つと接続すること
を含んで成る方法。
【請求項２６】
該少なくとも一つのコネクター要素を接続することは、該少なくとも一つのコネクター要素を絶縁体と接続することを含んで成る請求項２５に記載の方法。
【請求項２７】
該少なくとも一つのコネクター要素は、主ボディーの端部に配置され、該少なくとも一つのコネクター要素を接続することは、該少なくとも一つのコネクター要素を該一つの配電線と接続することを含んで成る請求項２５に記載の方法。
【請求項２８】
該少なくとも一つのコネクター要素は、複数のコネクター要素を有して成り、主ボディーの端部を曲げることは、第一方向で絶縁体から延在する第一電力線と整列するように主ボディーの第一端部を曲げることを含んで成り、方法は第一方向と異なる第二方向で絶縁体から延在する第二電力線と整列するように主ボディーの第二端部を曲げることを更に含んで成り、少なくとも一つのコネクター要素を接続することは、第一端部のコネクター要素の第一のものを第一電力線と接続すること及び主ボディーの第二端部のコネクター要素の第二のものを第二電力線と接続することを含んで成る請求項２５に記載の方法。
【請求項２９】
第一端部と第二端部との間に位置する主ボディーの中央部に対して電力線カバー部の回転柔軟性を増加させる、中央部に隣接する波形部を、第一端部と第二端部は有して成り、第一端部を曲げること及び第二端部を曲げることは、波形部で端部を曲げることを含んで成る請求項２８に記載の方法。
【請求項３０】
少なくとも一つのコネクター要素を接続することは、主ボディーに配置されるコネクター要素の第三のものを絶縁体と接続することを更に含んで成る請求項２８に記載の方法。
【請求項３１】
主ボディーは、第一方向で主ボディーの下で絶縁体から延在する電力線によって規定される軸と、第二方向で主ボディーの下で絶縁体から延在する電力線によって規定される軸との間で約２５度までのずれに適応する回転柔軟性を有する請求項３０に記載の方法。
【請求項３２】
第一方向で第一電力線の上で延在するように位置する延長アームを、主ボディーの第一端部と接続することを更に含んで成る請求項３０に記載の方法。
【請求項３３】
第二方向で第二電力線の上で延在するように位置するもう一つの延長アームを、主ボディーの第二端部と接続することを更に含んで成る請求項３２に記載の方法。
【請求項３４】
主ボディーの端部は、中央部に対する端部の回転柔軟性を増加させる、主ボディーの中央部に隣接する波形端部を含んで成り、端部を曲げることは、波形端部を曲げることを含む請求項２５に記載の方法。
【請求項３５】
主ボディーは、第一方向で主ボディーの下で絶縁体から延在する電力線によって規定される軸と、第二方向で主ボディーの下で絶縁体から延在する電力線によって規定される軸との間で約２５度までのずれに適応する回転柔軟性を有する請求項３４に記載の方法。
【請求項３６】
第一方向で延在する電力線の上で延在するように位置する延長アームを、主ボディーの端部と接続することを更に含んで成る請求項３４に記載の方法。
【請求項３７】
該一つの配電線の上で延在するように位置する延長アームを主ボディーの端部に接続することを更に含んで成る請求項２５に記載の方法。
【発明の詳細な説明】
【技術分野】
【０００１】
本発明は、保護カバー、より特には、例えば電力の配電線（power distribution line）等の配電線用の保護カバー及びその取り付け方法に関する。
【背景技術】
【０００２】
電信柱等の支持構造は、しばしば地面より上で電力の配電線等の送電線を吊すために用いられる。これらの支持構造は、通常屋外に設置され、一又はそれ以上の線（又は電力線）を吊すために種々の形態から成る。そのような線の一つの問題は、特に線が高電圧で電力を送る電力の配電線（又は高圧線）の場合、鳥又は他の動物が線に降りる又は登ることである。動物によるそのような配電線、特に支持構造に隣接する配電線の接触によって、もし動物を電流が流れ得る電気のフラッシュオーバー又はショートを、動物が生じさせたなら、動物はショックを受け、動物は死亡し得る。
【０００３】
例えば、鳥は、時々電信柱等の支持構造にとまることが周知である。ある種の鳥については、それらの翼長は二つの平行な線を接触させるに十分長く、また離陸又は着陸の間に電気的フラッシュオーバーを生じさせる。鳥を傷つけることに加え、そのような電気的フラッシュオーバーは、電力の停電又は電力配電システムの他の問題も生じ得る。
【０００４】
電信柱での電気的ショートの危険を減少させるために、種々のカバーが提案された。例えば、米国特許第5,873,324 は、電気絶縁体から製造された鳥ガード・ワイヤー・プロテクター（bird guard wire protector）を記載する。支持構造に電線を取り付ける絶縁体の上部をおおって適合するように大きさ及び形状を作られた中央要素を有する。中央要素は、それらと統一して形成され、それから延在する第一接続構造及び第二接続構造を有する。第一アームは、第一接続構造と接続され、それから延在し、第二アームは第二接続構造と接続され、それから延在する。
【発明の開示】
【発明が解決しようとする課題】
【０００５】
支持構造の絶縁体から延在する線（又は電力線）は、絶縁体から種々の方向に延在し得るので、そのような統一した構造による、問題に直面し得る。従って、特定の電信柱に取り付けるための所望の角度に曲がるように、野外でそれらの構造を加熱することが周知である。しかし、このことは、設置するためのカバーを準備するために、典型的には野外で、追加の備品及び手順を通常必要とする。
【課題を解決するための手段】
【０００６】
本発明の態様は、絶縁体（絶縁器又は碍子）と結合される配電線用カバーを提供する。そのようなカバーは、可撓性ポリマー材料からできている（又は作られている）主ボディー（又は本体）を含む。主ボディーは、絶縁体とその絶縁体に結合された線（又は電力線）に隣接して位置するように構成される。隣接位置は、絶縁体を完全におおって又は部分的におおって及び／又は絶縁体の片側であり得る。少なくとも一つのコネクター要素が、主ボディーに接続される。少なくとも一つのコネクター要素は、主ボディー材料と比較して硬質材料であり、カバーを取り付ける線及び／又は絶縁体と結合するように構成される。本発明の種々の態様において、主ボディー材料は、１平方インチ当たり約２５００ポンド（psi）より小さい引っ張り強度を有し、少なくとも一つのコネクター要素は、主ボディー材料より大きく、少なくとも約１２００psiの引っ張り強度を有する。可撓性ポリマー材料及び硬質材料は、抗トラッキング性ポリマー材料であってよい。
【０００７】
本発明の更なる態様において、主ボディーは、絶縁体に隣接して位置するように構成された中央部を含む。第一線カバー部（又は第一電力線カバー部）は、中央部から延在し、第二線カバー部（又は第二電力線カバー部）は、第一線カバー部から実質的に反対方向に中央部から延在する。第一及び第二線カバー部は、各々、中央部に対する線カバー部（又は電力線カバー部）の回転可撓性を更に増加させる、中央部に隣接する波形部も含み得る。コネクター要素は、メカニカル・クランプ（mechanical clamp）、ディスプレイスメント・スプリング・クリップ（displacement spring clip）、スウィンギング・クランプ（swinging clamp）及びラチェッティング・クランプ（ratcheting clamp）から成る群から選択してよい。特定の態様において、コネクター要素は、主ボディーの中に成型されたディスプレイスメント・クリップである。いくつかの態様において、コネクター要素は、ねじ付きファスナー（又はねじ部品）等の留め金具によって主ボディーに結合される。
【０００８】
本発明の他の態様において、延長アームは、第一線カバー部に結合され、中央部から延在する。延長アームは、硬質材料であってよく、コネクター要素と同じ材料であってよい。特定の態様において、少なくとも一つのコネクター要素は、ディスプレイスメント・クリップであり、延長アーム及び少なくとも一つのコネクター要素は、実質的に同じ輪郭（外形又はプロフィール）、例えばオメガ形状等を有する。第二延長アームは、第二線カバー部に結合され、第一線カバー部と実質的に反対方向に延在し得る。
【０００９】
本発明の更なる態様において、解放可能（解除可能又は分離可能）なスナップ・コネクター（snap connector）が、延長アームを第一線カバー部に結合する。スナップ・コネクターは、延長アーム及び第一線カバー部の一端のタブ部分と、延長アーム及び第一線カバー部の他の隣接端部の対応する開口部であってよい。別法では、留め金具等の他のタイプのコネクターを、延長アームと線カバー部を結合するために用いることができる。
【００１０】
本発明の他の態様において、一つのコネクター要素は、第一方向で絶縁体から延在する線（又は電力線）を結合するために第一線カバー部に配置され、もう一つのコネクター要素は、第一方向と異なる第二方向で絶縁体から延在する線を結合するために第二線カバー部に配置される。第三コネクター要素は、絶縁体と結合するために中央部に配置され得る。カバーは、更に、少なくとも一つの主ボディー及び少なくとも一つのコネクター要素に、設置補助取り付け部（installation aid attachment portion）を含み、設置補助取り付け部は、配電線にカバーを設置するために、ホットスティック（hot stick）等の設置補助の端部と係合するように構成されている。
【００１１】
本発明の更なる態様において、第一線カバー部の下の絶縁体から延在する線（又は電力線）によって規定される軸と第二カバー部の下の絶縁体から延在する線によって規定される軸との間の約２５度までのずれに、線カバー部の回転柔軟性は、適応する。第一線カバー部の下の絶縁体から延在する線と第二カバー部の下の絶縁体から延在する線は、電信柱により通る送電線等の同じ線であってよく、絶縁体によって電信柱に接続されてよい。
【００１２】
本発明の他の態様において、絶縁体に結合された配電線をカバーする方法が提供される。絶縁体に隣接して位置するように構成された可撓性ポリマー材料から作られた主ボディー及び主ボディーと接続された少なくとも一つのコネクター要素を含んで成るカバーが提供され、コネクター要素は、硬質材料である。カバーは、絶縁体に隣接して配置される。主ボディーの一端は、絶縁体から延在する配電線の一つと整列するように曲げられる。コネクター要素は、少なくとも一つの絶縁体又は配電線の一つと接続される。コネクター要素の接続は、コネクター要素を絶縁体と接続することを含んでよい。コネクター要素を、代わりに主ボディーの端部に配置してよく、又はコネクター要素も主ボディーの端部に配置してよく、コネクター要素を接続することは、コネクター要素と配電線の一つを接続することを含んでよい。
【００１３】
本発明の更なる態様において、複数のコネクター要素が提供され、主ボディーの一つの端部を曲げることは、第一方向で絶縁体から延在する第一線（又は第一電力線）と整列するように主ボディーの第一端部を曲げることを含む。主ボディーの第二端部は、第一方向と異なる第二方向で絶縁体から延在する第二線（又は第二電力線）と整列するように、曲げられる。第一端部のコネクター要素の第一のものは、第一線と接続され、主ボディーの第二端部のコネクター要素の第二のものは、第二線に接続される。コネクター要素の第三のものは、主ボディーに配置され、絶縁体と接続されてよい。
【００１４】
本発明の他の態様において、延長アームは、主ボディーの第一端部と接続される。延長アームは、第一方向で第一線の上を延在するように配置される。もう一つの延長アームは、主ボディーの第二端部と接続されてよい。第二延長アームは、第二方向で第二線の上を延在するように配置される。
【発明を実施するための形態】
【００１５】
発明の詳細な説明
本発明を説明する態様を示す添付した図面を参照して、以下本発明をより十分に説明する。図面において、範囲又は特徴の相対的な大きさは、明瞭さのために誇張し得る。しかし、本発明は、多くの異なる形態に具現化され得、ここで示す態様に制限されるものとして解釈すべきではない。むしろ、本開示を完全に行い、当業者に本発明の範囲を伝えるために、これらの態様は提供される。
【００１６】
本発明の態様を、以下、図１〜１５に記載した種々の態様を参照して説明する。図１Ａは、配電システムの電信柱の絶縁体上に設置された本発明の態様のカバー１００の概略図を示す。図１の電信柱５５等の電信柱（又は電柱）は、例えば、配電線／電送回線等を含む一又はそれ以上のユーティリティーラインを支持するための種々の構成（又は形成）、寸法及び形状を取り得るということを理解するべきである。電信柱は、地面より上で高く線を支持するために使用され得る。鳥は、電信柱５５、それに伴う交差要素６０，６０’、線７０、７５、８０、８５及び絶縁体６５、６５’に着地する及び止まることが知られている。
【００１７】
大きな翼長を有する鳥は、配電線から感電して傷つき、また感電死し易い。特に、ワシ、ミサゴ、フクロウ等の猛禽類及び他の大型の鳥は、十分な翼長さを有しているので、翼を広げた鳥は、同じ電信柱に設けられた二つの隣接する電線又は線（又はライン）を接触させ得る。平行である必要はないが、電信柱の線は、十分に近接し得るので、鳥の翼で、支持構造又は電信柱の二つの隣接する線の間の距離を結ぶことができる。鳥が飛び立つ又は着地するときに、翼は広げられ、広げられた又は存在する翼長は、翼が接触するに十分であり得、二つの線の間に電気的ショートを生じ得、ショート回路及び鳥のショック又は感電死をもたらし得る。配電も遮断される結果と成り得る。
【００１８】
図１Ａは、電信柱の頂部付近に設けられた交差バー６０、６０’を有する電信柱５５を示す。絶縁体６５から延在する第一電力線は、絶縁体６５から第一方向で延在する第一線７０及び絶縁体６５から第二方向で延在する第二線７５を規定する。第一線７０により規定される軸及び第二線７５によって規定される軸は、平行でなくてよく、絶縁体６５に対する線７０、７５の配向角を規定する。同様に、線８０、８５は、絶縁体６５’から延在する。絶縁体６５、６５’は、例えば、ガラス、ポルセリン、ポリマー又は同様の絶縁材料から作られる。絶縁体６５、６５’は、ボルト又は他の同様な構造によってしっかり締められて、交差バー６０、６０’に固定される。配電線８０、８５は、絶縁体６５と順に結合され、配電線７０、７５は、絶縁体６５’と結合されて、配電線の電気的に絶縁された付属物（又はアッタチメント）を電信柱５５にもたらす。
【００１９】
図１Ａに示すように、カバー１００は、絶縁体６５’に隣接し、部分的に絶縁体６５’をカバーし、第一線７０及び第二線７５部の上をカバーする。カバー１００は、第二線７５及び第一線７０に各々接続されるコネクター要素１２０、１２４も含む。第三コネクター要素は、絶縁体６５’と結合される。更に、延長アーム（又はエクステンダーアーム）１９２、１９２’は、カバー１００の主ボディーと接続し、各々そこから線７０、７５の上を延在する。
【００２０】
第一線７０及び第二線７５は、図１Ａでは実質的に平行に配列（又は整列）するものとして示されるが、支持構造に設けられる線は、絶縁体から異なる方向に延在してよく、真っ直ぐでなくても、軸方向でなくてもよい。ライン７０、７５、８０、８５は、実質的に同一平面に又は地上から同じ高さに位置するように図１Ａでも示されている。しかし、複数の交差バーを、種々の高さの線を、異なる高さの電信柱５５に設けてもよい。更に、絶縁体は、交差要素から垂直方向に又は水平方向に延在してよく又は電信柱から直接延在してよい。従って、支持構造の構成及び配向と支持された線の配向は、図１Ａから種々変化してよく、本発明は、図１Ａに示される特定の支持構造の構成を用いることに制限されるものではない。
【００２１】
図１Ｂは、電信柱５５から水平方向に延在する絶縁体６５に隣接して配置されるカバー１００’の態様を示す。カバー１００’は、線７０、７５に接続される第一及び第二コネクター要素１２０’、１２４’を含む。延長アーム１９２’は、カバー１００’の主ボディーに接続され、主ボディーから線７０、７５に沿って延在する。カバー１００’は、片側に配置され、絶縁体６５を部分的にカバーするが、図１Ａのカバー１００は、垂直に延在する絶縁体６５’を上からカバーしおおうとして示されている。
【００２２】
絶縁体に取り付けられる配電線用カバーの態様を、図２の分解斜視図を参照して、更に説明する。図２の態様に示すように、カバー２００は、主ボディー２１０と三つのコネクター要素２２０、２２２、２２４を含む。コネクター要素２２０、２２２、２２４は、主ボディー２１０の可撓性材料と対比されるような硬質材料から製造される。主ボディー２１０は、例えば、絶縁グレードの紫外線（ＵＶ）安定ポリマー等の可撓性抗トラッキング性材料である。特定の態様において、主ボディー２１０の材料は、一平方インチ当たり約１０００ポンド（psi）〜約２５００psiの引っ張り強度（又は強さ）を有する。コネクター要素２２０、２２２、２２４は、絶縁性抗トラッキング性ポリマー等のポリマーであってよい。より特には、コネクター要素２２０、２２２、２２４は、主ボディー２１０より硬質である。特定の態様においては、コネクター要素２２０、２２２、２２４の引っ張り強度は、約１２００psi〜約１０，０００psiの範囲である。いくつかの態様においては、主ボディー２１０は、約２５００psiより小さい引っ張り強度を有し、コネクター要素２２０、２２２、２２４は、主ボディー２１０より大きい引っ張り強度で、少なくとも約１２００psiの引っ張り強度を有する。
【００２３】
主ボディー２１０及びコネクター要素２２０、２２２、２２４用に種々の硬度の材料を供給することによって、信頼できる保持強度が、絶縁体から延在する線にもたらされ得、線が絶縁体に近づく種々の角度を調節するために柔軟な構成を提供することができる。硬質のコネクター要素２２０、２２２、２２４は、配電線に信頼できるグリップを提供し得、主ボディー２１０を曲げて、角度を調節することができる。特定の態様において、抗トラッキング性材料の使用は、典型的な絶縁体と配電線の期待される寿命と実質的に等しい長期間の信頼性をもたらし得る。従って、絶縁体接続点にて、電力線等の配電線に設置されるカバー２１０等のカバーを使用すると、動物が引き起こす電気的フラッシュオーバーの防止を補助し得る。
【００２４】
図２に示すように、主ボディー２１０は、絶縁体に隣接し及び部分的に覆って配置するように構成される中央部２３０を含む。図２に示すような態様と絶縁体との関係は、更に図８Ｂで説明する。それは、絶縁体７０１から延在する配電線７０３、７０４と絶縁体７０１の上に設置される主ボディー７１０を示す。図８Ｂの配置から見えるように、図２の中央部２３０は、コネクター要素２２２を受けるように構成された接続チャンバー２３２を含み、それらは順に絶縁体と結合する。
【００２５】
再び図２を参照すると、主ボディー２１０は、中央部２３０から延在する第一線カバー部２３４と、第一線カバー部２３４から実質的に逆方向に中央部２３０から延在する第二線カバー部２３６を、更に含む。第一線カバー部２３４は、中央部２３０に対して第一線カバー部２３４の回転柔軟性を増加させる、中央部に隣接する波形部２３８を含む。波形部２３８の使用は、主ボディー２１０用可撓性材料の使用によってもたらされる範囲及び柔軟性を超える絶縁体への異なる線のアプローチ角に対するカバー２００の適用性を、更に拡張し得る。同様に、図２に示す第二線カバー部２３６は、中央部２３０に対する第二線カバー部２３６の回転柔軟性を増加させる、中央部２３０に隣接する波形部２４０を含む。図２の態様に示すように、第一線カバー部２３４から延在する延長部２５０と第二線カバー部２３６から延在する延長部２６０がある。種々の態様において、延長部２５０、２６０は、各線カバー部２３４、２３６と接続された延長アームであってよく及び／又は延長アームが取り付けられ得るコネクター領域を提供し得る。
【００２６】
図２に示すように、コネクター要素２２０、２２２、２２４は、ディスプレイスメント・スプリング・クリップ型コネクターである。より特には、線コネクター要素２２０、２２４は、オメガ・クリップ（omega clip）型コネクターである。しかし、種々の他のタイプのコネクターが、本発明の種々の態様で使用され、メカニカル・クランプ、スウィング・クランプ（swing clamp）、ラチェッティング・クランプ等を含む。更に例２に示した態様は、三つのコネクター要素を含む、第一方向で絶縁体から延在する線に接続される第一線カバー部２３４の第一コネクター要素２２０、第二方向で絶縁体から延在する線と接続する第二線カバー部２３６に配置される第二コネクター要素２２４、絶縁体と接続される接続チャンバー２３２に配置される第三コネクター要素２２２を含むが、本発明はそのような態様に制限されるものではなく、図２に示したより多くの又は少ないコネクター要素を使用してよい。
【００２７】
図３及び４の斜視図を参照して、更に本発明の態様を説明する。図３及び４のカバー３００に示すように、三つのコネクター要素３２０、３２２、３２４が、主ボディー３１０に接続されている。主ボディー３１０は、波形部３３８、４４０を各々含む第一線カバー部及び第二線カバー部３３４、３３６と中央部３３０を含む。コネクター要素３２２は、中央部３３０の接続チャンバー３３２に配置されている。コネクター要素３２０は、線カバー部３３４に配置され、コネクター要素３２４は、線カバー部３３６に配置されている。延長アーム接続部３５０は、線カバー部３３４から延在し、延長アーム接続部３６０は、線カバー部３３６から延在する。更に図４に示すように、カバー３００のために、コネクター要素３２０、３２２、３２４は、主ボディー３１０の各領域３７０、３７２、３７４の主ボディー内に成形される。しかし、図５に説明するカバー４００の別の態様に示すように、コネクター要素は、種々の方法で、主ボディーに結合してよい。
【００２８】
図５を参照すると、カバー４００は、主ボディー４１０及びコネクター要素４２０、４２２、４２４を含む。主ボディー４１０は、コネクター要素４２２を受ける接続チャンバー４３２を有する中央部４３０を含む。線カバー部４３４、４３６は、各々の方向に中央部４３０から延在する。線カバー部４３４、４３６は、波形部４３８、４４０を含む。延長部４５０、４６０は、各線カバー部４３４、４３６から延在し、カバー４００によって保護される絶縁体から延在する線をおおう被覆の追加の長さをもたらす。
【００２９】
図５で説明する態様で示すように、留め具（又は締め具）４８０がある。留め具４８０は、各コネクター要素４２０、４２２、４２４を主ボディー４１０に接続する。図５で説明される態様では、留め具４８０は、ねじ付きファスナー（又はねじ部品）である。ねじ付きファスナー４８０は、セルフタッピング（self-tapping）留め具であり得又は通路が主ボディー４１０を通って準備されてよく、ねじ穴を、コネクター要素４２０、４２２、４２４の上部に準備して、コネクター要素４２０、４２２、４２４に留め具４８０をねじ込むことを可能としてよい。留め具は、コネクター要素の通路を通って最初に挿入され得、主ボディーとねじ止めして係合する。留め具４８０は、ねじ付きファスナーとして図５に説明しているが、種々の異なる型（又はタイプ）の既知のコネクターを、例えば適所に成形されたコネクター、使い捨ての留め具／クリップ等のねじ付きファスナーの代わりに用いることができる。
【００３０】
図６Ａと図６Ｂを参照して、本発明の種々の態様に基づくカバーを更に説明する。図６Ａと図６Ｂは、各々一直線の及び曲がった配置の本発明の態様に基づくカバー５００の平面図である。図６Ａに説明するように、第一軸Ａ１を、第一線カバー部の下で第一方向で、カバー５００の下の絶縁体から延在する線によって規定する。第二軸Ａ２を、第二線カバー部の下で第二方向でカバー５００から延在する線によって規定する。図６Ｂに示すように、図６Ａで説明したそのままの状態に対する角度αに、軸Ａ１上を延在する第一線カバー部を回転し、図６Ａで説明したそのままの状態に対する角度α’に、軸Ａ２に沿って延在する第二線カバー部を回転して、カバー５００の中央部から延在する各々の線カバー部を曲げる。角度α、α’は、図６Ｂで実質的に同じとして示しており、カバー５００により保護される絶縁体から延在する線がアプローチする（又は近づく）角度に基づいて必要に応じて、各々の線カバー部を、異なる角度に回転し得ることを理解するべきである。本発明の特定の態様において、カバー５００用に選択される可撓性材料及び波形部の構成は、軸Ａ１と軸Ａ２の間の約２５度までのずれに適応する線カバー部の回転柔軟性をもたらすように、選択される。
【００３１】
図７Ａと７Ｂを参照して、解放可能（解除可能又は分離可能）延長アームを含む本発明の別の態様を更に説明する。図７Ａは、カバー６００の主ボディー６１０から解放された延長アーム６９０を示す斜視図であり、図７Ｂは、カバー６００の主ボディー６１０に接続された延長アーム６９０を示す。図７Ａと７Ｂは、ただ一つの線カバー部６３６を示すが、本発明の種々の態様において、実質的に同じ構成を有する第二線カバー部が、主ボディー６１０用に提供され、カバー６００が複数の線カバー部の各々に取り付けられた延長アーム６９０を含み得ることを理解するべきである。
【００３２】
図７Ａに示すように、主ボディー６１０のコネクター受け部６７２の主ボディー６１０内に、コネクター要素６２４は、成形される。線カバー部６３６は、波形部６４０及び延長アームコネクター部６６０を含む。図７Ａに示された特定の態様では、解放可能スナップ・コネクター６９２、６９４は、延長アームコネクター部６６０にて、延長アーム６９０と線カバー部６３６を結合する。より特には、図７Ａに示した態様では、延長アーム６９０をコネクター部６６０上に配置する場合、解放可能スナップ・コネクターは、延長アームコネクター部６６０上のタブ部分６９２及び延長アーム６９０に配置するタブ６９２と係合する対応する開口部６９４を含む。しかし、主ボディー６１０のコネクター部６６０に開口部を有し、タブを延長アーム６９０に設けてもよいと理解するべきである。図７にはコネクター部６６０上に配置される延長アームを示すが、本発明の更なる態様において、コネクター部６６０を延長アーム６９０上に配置してよいことも理解するべきである。
【００３３】
本発明の種々の態様において、延長アーム６９０は、硬質材料である。特定の態様において、コネクター要素６２４及び延長アーム６９０は、同じ材料である。更に図７Ａに示すように、コネクター要素６２４は、ディスプレイスメント・クリップであってよく、延長アーム６９０及びコネクター要素６２４は、図７Ａの延長アーム６９０に示したオメガ輪郭等の実質的に同じ輪郭（又はプロフィール）を有し得る。
【００３４】
図８Ａ及び８Ｂは、絶縁体７０１、第一配電線７０３及び第二配電線７０４の上に配置されるカバー７００の平面図及び底面斜視図である。図８Ｂに示すように、第一線７０３及び第二線７０４は、絶縁体７０１から二方向に延在する単一の配電線である。絶縁体７０１は、電信柱等の支持構造に、取り付け用金具７０２によって、取り付けられる。線７０３、７０４は、図８Ｂに示すようにコネクター機構７９６によって絶縁体７０１に順番に接続される。図８Ｂに示すように、第一延長アーム７９０及び第二延長アーム７９２は、主ボディー７１０から実質的に反対方向に延在する。コネクター要素７２０は、カバー７００を線７０４に接続する。更に、コネクター要素７２４は、カバー７００を線７０３に接続する。第三コネクター要素７２２は、カバー７００と絶縁体７０１を接続する。
【００３５】
図８Ｃの態様に示すように、主ボディー７５４に、設置補助取り付け部（installation aid attachment portion）７５２が構成され、配電線上のカバー７５０を実際に取り付けるための、ホットスティック（hot stick）又はショットガン（shot gun）等の設置アームの端部と組み合わせる。図８Ｃの主ボディーに存する取り付け部を記載しているが、一つ又はそれ以上のコネクター要素は、設置補助を受けるための取り付け部を含み得ることを理解するべきである。更に、唯一の設置補助取り付け部が記載されているが、複数の設置補助取り付け部が、本発明の種々の態様のコネクター要素及び／又は主ボディーに含まれ得る。図８Ｄに示すように、設置補助取り付け部７６２は、延長アーム７６０に設けられてもよい。設置補助取り付け部７６２は、主ボディー７５４の設置補助取り付け部７５２の代わりに又は加えて設けてもよい。
【００３６】
本発明の態様で使用するために適する種々のコネクター要素を、図９〜１２に示す。図９は、オメガクリップ型ディスプレイスメント・スプリング・コネクター（omega clip type displacement spring connector）９２０を示す。図９に示すようなオメガクリップ９２０は、頂部９４０を含む上部スプリング部９３５及び各クリップアーム９２５、９３０に頂部９４０から延在するアーム９４５を含む。記載したコネクター要素９２０も、保持アーム９４７を含む。保持アーム９４７は、上方にカーブした輪郭を有し、コネクター要素９２０内への配電線の通行を促進し、コネクター要素９２０から配電線の脱離を防止する。
【００３７】
ディスプレイスメント・スプリング型コネクター（displacement spring type connector）の更に他の態様は、図１０に記載されている。図１０に示すコネクター要素１０２０は、クリップアーム１０２５、１０３０、頂部１０４０を有する上部スプリング部１０３５及び頂部１０４０からクリップ要素１０２５、１０３０要素に延在するアーム１０４５を含む。図１１は、メカニカル・クランプ接続要素１１９６を示す。図１２は、スウィンギング・アーム（swinging arm）を有するラチェッティング・クランプを示す。
【００３８】
図１３は、主ボディーに延長アーム１３９０を接続する際に用いる開口部１３９４及びオメガクリップ輪郭を有する延長アーム１３９０を示す。延長アーム１３９０の長さは、具体的な形態に対して選択し得、支持要素にて絶縁体から延在する線のための所望の長さの絶縁被覆を提供し、カバーの近くにおりた鳥又は他の小動物による電気的なショートに対する保護のために所望の長さの被覆を提供し得ることを理解するべきである。更に、本発明の種々の態様に基づいて、カバーから延在する種々の線のために組み合わせて、種々の延長アーム長を使用してよい。
【００３９】
図１４〜１５のフローチャートは、本発明の態様に基づいて、絶縁体に接続された配電線をカバーする方法の可能な実施操作、機能性（又は相関性）、設計（又は構成）を説明する。他の実施では、ブロックに記載した行為は、図に示した順序からはずれて生じ得ることを注意すべきである。例えば、連続して示す二つのブロックは、実際、実質的に同時に実行することができ、又はそのブロックは、伴う機能性に応じて、逆の順序で実行することができる。
【００４０】
図１４の態様で示すように、絶縁体に結合された配電線をカバーする操作は、ブロック１４１０で、絶縁体に適合して構成される可撓性ポリマー材料からできている主ボディー及び主ボディーと接続され硬質材料からできているコネクター要素の一つ又はそれ以上を含むカバーを準備することにより始まる。それらは、例えば、図１〜１３に示す種々の態様を参照して上述した。カバーは絶縁体に隣接して配置する（ブロック１４２０）。隣接する配置は、絶縁体の上を十分におおって及び／又は部分的におおって及び／又は絶縁体の片側にあってよい。主ボディーの端部は、絶縁体から延在する配電線の一つと整列するように曲げる（ブロック１４３０）。一つ又はそれ以上の、カバーのコネクター要素を、絶縁体及び／又は配電線と接続する（ブロック１４４０）。
【００４１】
絶縁体に結合する配電線をカバーする本発明の態様に基づく方法を、図１５のフローチャートを参照して説明する。図１５に説明した態様において、図１０〜１３に説明したカバーの態様等のカバーを絶縁体に隣接して配置することで操作は始まる。カバーが、絶縁体に接続するコネクター要素を含む場合（ブロック１５０５）、絶縁体コネクター要素を絶縁体に接続する（ブロック１５１０）。カバーの主ボディーの第一端部を、第一方向で絶縁体から延在する第一線と整列するように曲げる（ブロック１５１５）。第一線と接続するように第一端部カバーにコネクター要素が準備されている場合（ブロック１５２０）、第一線コネクター要素を、第一線と接続する（ブロック１５２５）。
【００４２】
図１５に示した態様では、第二可撓性端部をカバーに提供し、主ボディーの第二端部を、第一方向と異なる第二方向で絶縁体から延在する第二線と整列するように曲げる（ブロック１５３０）。もしコネクター要素が、第二線と接続する第二端部に準備されている場合（ブロック１５３５）、第二端部コネクター要素を、第二線と接続する（ブロック１５４０）。一つ又はそれ以上の延長アームが、カバーと一緒に使用するために必要である場合（ブロック１５４５）、延長アームを、カバーの主ボディーと接続する（ブロック１５５０）。延長アームの一つは、主ボディーの第一端部に接続して配置し、第一方向で第一線上に延在してよく、主ボディーの第二端部に結合する第二延長アームは、第二方向で第二線上に延在するように配置してよい。
【００４３】
以上の説明は、本発明を説明するものであり、本発明を制限するものとして解するべきではない。本発明の２〜３の例示的な態様を説明しているが、当業者であれば、本発明の新規な教示及び長所から著しく離れることなく例示的な態様において多くの変更が可能であることを容易に正しく認識できるであろう。従って、全てのそのような変更を、特許請求の範囲で規定されるような本発明の範囲内に含むべきことを意図するものである。特許請求の範囲において、手段プラス機能文（ミーンズ−プラス−ファンクション・クローズ：means-plus-function clause）は、本明細書で記載した構造を、単なる構造的な均等物としてのみならず、均等な構造物として、記載した機能を行うものとしてカバーすることを意図するものである。従って、上述の説明は、本発明の例示であり、開示した特定の態様に制限するものとして解するべきではないこと、及び開示した態様と他の態様に関する変更は、添付の特許請求の範囲の範囲内に含まれるべきことを意図することが理解されるべきである。本発明は、特許請求の範囲とその中に含まれるべき特許請求の範囲の均等なものによって規定される。
【図面の簡単な説明】
【００４４】
【図１Ａ】図１Ａは、電信柱の電力の配電線に適用される本発明の態様に基づく配電線用カバーを説明する概略図である。
【図１Ｂ】図１Ｂは、電信柱の電力の配電線に適用される本発明の他の態様に基づく配電線用カバーを説明する説明する概略図である。
【図２】図２は、本発明の態様に基づく配電線用カバーの分解斜視図である。
【図３】図３は、本発明の態様に基づく配電線用カバーの底面斜視図である。
【図４】図４は、本発明の態様に基づく配電線用カバーの上面斜視図である。
【図５】図５は、本発明の態様に基づく配電線用カバーの上面分解斜視図である。
【図６Ａ】図６Ａは、本発明の態様に基づく配電線用カバーの平面図である。
【図６Ｂ】図６Ｂは、曲げた配置での図６Ａのカバーの平面図である。
【図７Ａ】図７Ａは、本発明の態様に基づく主ボディーに隣接する係合アームを有する配電線用カバーの斜視図である。
【図７Ｂ】図７Ｂは、主ボディーに結合された係合アームを有する図７Ａのカバーの斜視図である。
【図８Ａ】図８Ａは、本発明の他の態様に基づく絶縁体上の配電線用カバーの平面図である。
【図８Ｂ】図８Ｂは、曲げた配置での図８Ａのカバーの底面図である。
【図８Ｃ】図８Ｃは、本発明の他の態様に基づく配電線用カバーの斜視図である。
【図８Ｄ】図８Ｄは、本発明の他の態様に基づく延長アームの斜視図である。
【図９】図９は、本発明の態様に基づくオメガクリップ・ディスプレイスメント・スプリング型コネクター要素の斜視図である。
【図１０】図１０は、本発明の他の態様に基づくディスプレイスメント・スプリング型コネクター要素の斜視図である。
【図１１】図１１は、本発明の態様に基づくメカニカル・クランプ型コネクター要素の斜視図である。
【図１２】図１２は、本発明の態様に基づくラチェッティング・クランプ型コネクター要素の斜視図である。
【図１３】図１３は、本発明の態様に基づく延長アームの斜視図である。
【図１４】本発明の態様に基づく配電線のカバー方法を説明するフローチャートである。
【図１５】本発明の他の態様に基づく配電線のカバー方法を説明するフローチャートである。
2006513684.tif 000003
2006513684.tif 000004
【図２】
2006513684.tif 000005
【図３】
2006513684.tif 000006
【図４】
2006513684.tif 000007
【図５】
2006513684.tif 000008
2006513684.tif 000009
2006513684.tif 000010
2006513684.tif 000011
2006513684.tif 000012
2006513684.tif 000013
2006513684.tif 000014
2006513684.tif 000015
2006513684.tif 000016
【図９】
2006513684.tif 000017
【図１０】
2006513684.tif 000018
【図１１】
2006513684.tif 000019
【図１２】
2006513684.tif 000020
【図１３】
2006513684.tif 000021
【図１４】
2006513684.tif 000022
【図１５】
2006513684.tif 000023
【手続補正書】
【提出日】平成17年2月11日(2005.2.11)
【手続補正１】
【補正対象書類名】特許請求の範囲
【補正対象項目名】全文
【補正方法】変更
【補正の内容】
【特許請求の範囲】
【請求項１】
絶縁体と結合される配電線用カバーであって、
絶縁体及び絶縁体と結合された少なくとも一つの電力線に隣接して配置されるように構成された可撓性ポリマー材料でできている主ボディー、及び
主ボディーと接続される少なくとも一つのコネクター要素であって、絶縁体と結合された該少なくとも一つの電力線と結合し及び接続して、及び／又は絶縁体と結合してカバーを取り付けるように構成された、可撓性ポリマー材料と異なる硬質材料でできているコネクター要素
を含んで成るカバー。
【請求項２】
主ボディー材料は、１平方インチ当たり約２５００ポンド（psi）より小さい引っ張り強度を有し、該少なくとも一つのコネクター要素は、主ボディーより大きい引っ張り強度であって、少なくとも約１２００psiの引っ張り強度を有する請求項１に記載のカバー。
【請求項３】
主ボディーは、
絶縁体に隣接して配置されるように構成された中央部、
中央部から延在する第一電力線カバー部、及び
第一電力線カバー部と実質的に反対方向に中央部から延在する第二電力線カバー部
を含んで成る請求項２に記載のカバー。
【請求項４】
第一電力線カバー部及び第二電力線カバー部は、各々、中央部に対する電力線カバー部の回転柔軟性を増加させる、中央部に隣接する波形部を含んで成る請求項３に記載のカバー。
【請求項５】
可撓性ポリマー材料及び硬質材料は、抗トラッキング性ポリマー材料を含んで成る請求項３に記載のカバー。
【請求項６】
該少なくとも一つのコネクター要素は、メカニカル・クランプ、ディスプレイスメント・スプリング・クリップ、スウィンギング・クランプ及びラチェッティング・クランプから成る群から選択される請求項５に記載のカバー。
【請求項７】
該少なくとも一つのコネクター要素は、主ボディー内に成形されたディスプレイスメント・クリップを有して成る請求項６に記載のカバー。
【請求項８】
該少なくとも一つのコネクター要素は、ディスプレイスメント・クリップを有して成り、カバーは、更に、該少なくとも一つのコネクター要素と主ボディーを結合する少なくとも一つの留め具を有して成る請求項６に記載のカバー。
【請求項９】
該少なくとも一つの留め具は、ねじ付きファスナーを有して成る請求項８に記載のカバー。
【請求項１０】
第一電力線カバー部と解放可能に結合され、中央部から延在する延長アームを更に含んで成る請求項５に記載のカバー。
【請求項１１】
延長アームは、硬質材料でできている請求項１０に記載のカバー。
【請求項１２】
該少なくとも一つのコネクター要素は、ディスプレイスメント・クリップを有して成り、延長アーム及び該少なくとも一つのコネクター要素は、実質的に同じ輪郭を有する請求項１１に記載のカバー。
【請求項１３】
第二電力線カバー部と結合され、第一電力線カバー部と実質的に反対方向に延在する第二延長アームを更に含んで成る請求項１０に記載のカバー。
【請求項１４】
延長アームと第一電力線カバー部を結合するスナップ・コネクターを更に有して成る請求項１０に記載のカバー。
【請求項１５】
スナップ・コネクターは、延長アーム及び第一電力線カバー部の一方の端部にタブ部分と、延長アーム及び第一電力線カバー部の他方の隣接する端部に対応する開口部を有して成る請求項１４に記載のカバー。
【請求項１６】
該少なくとも一つのコネクター要素は、複数のコネクター要素を有して成り、コネクター要素の一つは、第一方向で絶縁体から延在する電力線と結合するように第一電力線カバー部に配置され、もう一つのコネクター要素は、第一方向と異なる第二方向で絶縁体から延在する電力線と結合するように第二電力線カバー部に配置される請求項１０に記載のカバー。
【請求項１７】
第一及び第二電力線カバー部の回転柔軟性は、第一電力線カバー部の下で絶縁体から延在する電力線によって規定される軸と、第二電力線カバー部の下で絶縁体から延在する電力線によって規定される軸との間で約２５度までのずれに適応する請求項１６に記載のカバー。
【請求項１８】
第一電力線カバー部の下で絶縁体から延在する電力線と、第二電力線カバー部の下で絶縁体から延在する電力線は、同じ電力線である請求項１７に記載のカバー。
【請求項１９】
配電線にカバーを設置するために設置補助の端部と係合するように構成された、該少なくとも一つのコネクター要素と主ボディーの少なくとも一つに設置補助取り付け部を更に含んで成る請求項１７に記載のカバー。
【請求項２０】
第三のコネクター要素は、絶縁体と結合するために中央部に配置される請求項１７に記載のカバー。
【請求項２１】
可撓性ポリマー材料と硬質材料は、抗トラッキング性ポリマー材料を含んで成る請求項１に記載のカバー。
【請求項２２】
該少なくとも一つのコネクター要素は、複数のコネクター要素を含んで成り、コネクター要素の一つは、第一方向で絶縁体から延在する電力線と結合するように配置され、もう一つのコネクター要素は、第一方向と異なる第二方向で絶縁体から延在する電力線と結合するように配置される請求項１に記載のカバー。
【請求項２３】
主ボディーは、第一方向で主ボディーの下で絶縁体から延在する電力線によって規定される軸と、第二方向で主ボディーの下で絶縁体から延在する電力線によって規定される軸との間で約２５度までのずれに適応する回転柔軟性を有する請求項１に記載のカバー。
【請求項２４】
カバーは、配電線のカバーの設置用の設置補助の端部と係合するように構成された少なくとも一つのコネクター要素と少なくとも一つの主ボディーに設置補助取り付け部を更に含んで成る請求項１に記載のカバー。
【請求項２５】
絶縁体と結合された配電線をカバーする方法であって、
絶縁体の上に適合するように構成された可撓性ポリマー材料と、主ボディーと結合される少なくとも一つの、可撓性ポリマー材料と異なる硬質材料でできたコネクター要素を有して成るカバーを供給すること、
絶縁体に隣接してカバーを配置すること、
絶縁体から延在する配電線の一つと整列するように主ボディーの端部を曲げること、
該少なくとも一つのコネクター要素を、該配電線の一つと直接及び／又は絶縁体と接続すること
を含んで成る方法。
【請求項２６】
該少なくとも一つのコネクター要素を接続することは、該少なくとも一つのコネクター要素を絶縁体と接続することを含んで成る請求項２５に記載の方法。
【請求項２７】
該少なくとも一つのコネクター要素は、主ボディーの端部に配置され、該少なくとも一つのコネクター要素を接続することは、該少なくとも一つのコネクター要素を該一つの配電線と接続することを含んで成る請求項２５に記載の方法。
【請求項２８】
該少なくとも一つのコネクター要素は、複数のコネクター要素を有して成り、主ボディーの端部を曲げることは、第一方向で絶縁体から延在する配電線の第一電力線と整列するように主ボディーの第一端部を曲げることを含んで成り、方法は第一方向と異なる第二方向で絶縁体から延在する配電線の第二電力線と整列するように主ボディーの第二端部を曲げることを更に含んで成り、少なくとも一つのコネクター要素を接続することは、第一端部のコネクター要素の第一のものを配電線の第一電力線と接続すること及び主ボディーの第二端部のコネクター要素の第二のものを配電線の第二電力線と接続することを含んで成る請求項２５に記載の方法。
【請求項２９】
主ボディーの中央部に対して主ボディーの第一端部及び／又は第二端部の回転柔軟性を増加させる、第一端部と第二端部の間に配置される主ボディーの中央部に隣接する波形部を、第一端部と第二端部は有して成り、第一端部を曲げること及び第二端部を曲げることは、波形部で端部を曲げることを含んで成る請求項２８に記載の方法。
【請求項３０】
少なくとも一つのコネクター要素を接続することは、主ボディーに配置されるコネクター要素の第三のものを絶縁体と接続することを更に含んで成る請求項２８に記載の方法。
【請求項３１】
主ボディーは、第一方向で主ボディーの下で絶縁体から延在する配電線の一つによって規定される軸と、第二方向で主ボディーの下で絶縁体から延在する配電線の一つによって規定される軸との間で約２５度までのずれに適応する回転柔軟性を有する請求項３０に記載の方法。
【請求項３２】
第一方向で配電線の第一電力線の上で延在するように位置する延長アームを、主ボディーの第一端部と接続することを更に含んで成る請求項３０に記載の方法。
【請求項３３】
第二方向で配電線の第二電力線の上で延在するように位置するもう一つの延長アームを、主ボディーの第二端部と接続することを更に含んで成る請求項３２に記載の方法。
【請求項３４】
主ボディーの端部は、中央部に対する端部の回転柔軟性を増加させる、主ボディーの中央部に隣接する波形端部を含んで成り、端部を曲げることは、波形端部を曲げることを含む請求項２５に記載の方法。
【請求項３５】
主ボディーは、第一方向で主ボディーの下で絶縁体から延在する配電線の一つによって規定される軸と、第二方向で主ボディーの下で絶縁体から延在する配電線の一つによって規定される軸との間で約２５度までのずれに適応する回転柔軟性を有する請求項３４に記載の方法。
【請求項３６】
第一方向で延在する配電線の一つの上で延在するように位置する延長アームを、主ボディーの端部と接続することを更に含んで成る請求項３４に記載の方法。
【請求項３７】
該一つの配電線の上で延在するように位置する延長アームを主ボディーの端部に接続することを更に含んで成る請求項２５に記載の方法。
【国際調査報告】
2006513684.tif 000024
2006513684.tif 000025